(57)【特許請求の範囲】
【請求項１】
データ及びコマンドを含むデジタル信号の双方向伝送が可能な第１の伝送フォーマットに準拠したケーブルが接続される第１の接続端子と、
一方向信号伝送が可能な第２の伝送フォーマットに準拠したケーブルが接続される第２の接続端子と、
上記第１の接続端子にケーブルを介して接続されている機器とデータ及びコマンドの通信を行う通信手段と、
上記第１の接続端子と上記第２の接続端子を切り換えて、受信した信号に対して所定の処理を行う処理手段とを備え、
上記通信手段による上記データの通信に先立つ確認コマンドの通信の結果、上記第１の接続端子にデータ供給機器が接続されていることが確認された場合には、上記処理手段は、上記第１の接続端子を上記第２の接続端子よりも優先して切り換えるようにし、
上記第２の接続端子に近接して設けられ、上記第２の接続端子に接続されたケーブルの信号を検知する信号検知手段を有し、
上記通信手段による通信の結果、上記第１の接続端子に上記データ供給機器が接続されていないことが確認された場合に、上記信号検知手段の検出結果に基づいて、上記処理手段は上記第２の接続端子を選択するようにした
電子機器。
【請求項２】
上記第２のケーブルは光ケーブルであり、デジタル信号が伝送される請求項１記載の電子機器。
【請求項３】
上記第２のケーブルはアナログケーブルであり、アナログ信号が伝送される請求項１記載の電子機器。
【請求項４】
上記信号は、オーディオ信号である請求項１記載の電子機器。
【請求項５】
上記処理手段は、受信したオーディオ信号を記録媒体に記録する請求項４記載の電子機器。
【請求項６】
上記第２の接続端子に近接して設けられた上記信号検知手段は、上記光ケーブルの光を検知する光検知手段である請求項２記載の電子機器。
【請求項７】
さらに遠隔制御信号を受信する制御信号受信手段を有し、
上記光検知手段による光検知処理は、上記制御信号受信手段が所定の制御信号を受信した場合に開始される請求項６記載の電子機器。
【請求項８】
さらにアナログケーブルが接続される第３の接続端子を有し、
上記光検知手段によって光検知がなされなかった場合には、上記処理手段は上記アナログケーブルを選択するようにした請求項６記載の電子機器。
【請求項９】
データ及びコマンドを含むデジタル信号の双方向伝送が可能な第１の伝送フォーマットに準拠したケーブルが接続される第１の接続端子と、一方向信号伝送が可能な第２の伝送フォーマットに準拠したケーブルが接続される第２の接続端子とを備えた電子機器の信号処理方法において、
上記第１の接続端子にケーブルを介して接続された機器とデータ及びコマンドの通信を行い、
上記データの通信に先立つ確認コマンドの通信の結果、上記第１の接続端子にデータ供給機器が接続されていることが確認された場合には、上記第２の接続端子よりも上記第１の接続端子を優先して切り換え、
上記切り換えられた第１の接続端子を介して受信した信号の処理を行うようにし、
上記通信手段による通信の結果、上記第１の接続端子に上記データ供給機器が接続されていないことが確認された場合に、上記第２の接続端子に近接して設けられて上記第２の接続端子に接続されたケーブルの信号を検知する信号検知手段の検出結果に基づいて、上記処理手段は上記第２の接続端子を選択するようにした
信号処理方法。
【請求項１０】
上記第２のケーブルは光ケーブルであり、デジタル信号が伝送される請求項９記載の信号処理方法。
【請求項１１】
上記第２の接続端子に近接して設けられた上記信号検知手段は、上記光ケーブルの光を検知する光検知部である請求項１０記載の信号処理方法。
【請求項１２】
上記電子機器は、さらに遠隔制御信号を受信する制御信号受信部を有し、
上記光検知部による光検知処理は、上記制御信号受信部が所定の制御信号を受信した場合に開始される請求項１１記載の信号処理方法。
【請求項１３】
上記電子機器はさらにアナログケーブルが接続される第３の接続端子を有し、
上記光検知部によって光検知がなされなかった場合には、上記アナログケーブルを選択するようにした請求項１１記載の信号処理方法。
【請求項１４】
データ及びコマンドを含むデジタル信号の双方向伝送が可能な第１の伝送フォーマットに準拠したケーブルが接続される第１の接続端子がケーブルを介してデータ供給機器に接続されているか否かをデータの通信に先立つ確認コマンドの通信により判別し、上記第１の接続端子がデータ供給機器に接続されていると判断された場合には、一方向伝送が可能な第２の伝送フォーマットに準拠したケーブルが接続される第２の接続端子よりも優先して上記双方向伝送可能な第１の接続端子に切り換えるようにし、
上記コマンドの通信の結果、上記第１の接続端子に上記データ供給機器が接続されていないことが確認された場合に、上記第２の接続端子に接続されたケーブルの信号の検出結果に基づいて、上記第２の接続端子を選択するようにした
入力信号切換方法。
【請求項１５】
情報センターから配信されてくるデータを受信する受信部と、
上記受信部にて受信したデータに所定の信号処理を施してメインデータと該メインデータに付随するサブデータに分離する分離部と、
上記分離部にて分離されたメインデータを送信する第１の送信部と、
上記メインデータおよびサブデータを送信すると共にコマンドを双方向通信する第２の送信部とを有する受信装置と、
上記第１の送信部と一方向伝送が可能な第１の伝送フォーマットに準拠したケーブルを介して接続される第１の接続端子と、
上記第２の送信部と双方向のデジタル信号伝送が可能な第２の伝送フォーマットに準拠したケーブルを介して接続される第２の接続端子と、
上記第２の接続端子に上記受信装置が接続されているか否かを判別する判別手段と、
上記第１の接続端子から供給される上記メインデータ及びサブデータもしくは第２の接続端子から供給される上記メインデータを記録する記録手段とを有する記録装置と
を備えたダウンロードシステムにおいて、
上記判別手段にて上記第２の接続端子に上記受信装置が接続されていると上記データの通信に先立つ確認コマンドの通信により判別された場合には、上記第１の接続端子よりも、上記第２の接続端子を優先して選択し、上記双方向伝送が可能なケーブルを介して伝送されるデータを記録するようにし、
上記通信の結果、上記第２の接続端子に上記受信装置が接続されていないことが確認された場合に、上記第１の接続端子に接続されたケーブルの信号を検知する信号検知手段の検出結果に基づいて、上記第１の接続端子を選択するようにした
ダウンロードシステム。
【発明の詳細な説明】
技術分野
本発明は遠隔地より伝送されてくる各種データを受信して記録装置等へ送信する技術分野における、電子機器、信号処理方法、入力信号切換方法およびダウンロードシステムに関する。
背景技術
従来、ＣＤ（コンパクトディスク：登録商標）から伝送されるデジタルオーディオデータを、ＩＥＣ（Ｉｎｔｅｒｎａｔｉｏｎａｌ  Ｅｌｅｃｔｒｏ−ｔｅｃｈｎｉｃａｌ  Ｃｏｍｍｉｓｓｉｏｎ）９５８フォーマットに基づいて光ケーブルを用いて光伝送（以下、光デジタルインターフェイスとも呼ぶ）を行い、記録媒体にダビングする記録装置が知られている。上記記録装置としては、例えばＤＡＴ（デジタルオーディオテープ）レコーダあるいは、直径６４ｍｍの光磁気ディスクを記録媒体に用いたＭＤ（ミニディスク）レコーダが知られている。上記ＩＥＣ９５８フォーマットによる伝送は現在のところ一方向しか定義されていない。
また、現在ＩＥＥＥ１３９４という新しいデータ伝送フォーマットが提唱されつつある。例えばデジタルビデオカメラやデジタルスチルカメラで撮影したデジタル映像データを伝送する際に従来の伝送方式ではリアルタイム性が保てないために映像の動きがぎくしゃくして不連続になってしまう。上記リアルタイム性を保つために提唱されているのがＩＥＥＥ１３９４フォーマットである。ＩＥＥＥ１３９４フォーマットは最大データ転送レート１００〜４００Ｍビット／秒が実現でき、デジタル映像機器とパーソナルコンピュータとの接続が可能とされている。
遠隔地の情報センターより配信されてきたデータを受信して上記受信したデータを記録媒体に記録する記録装置が考えられる。この場合、情報センターから伝送されてくるデータは圧縮されたオーディオデータをメインデータとし、上記メインデータに関連するプログラム名や製作者のプロフィール等がテキストデータとして上記メインデータに付加されたサブデータとして伝送される。さらに、上記サブデータには伝送される楽曲に関連する例えば製作者の写真や楽曲をイメージさせるような静止画像を所定の圧縮形態で伝送することが考えられる。上記記録装置において、遠隔地の情報センターより伝送されるメインデータだけでなく、それに付加して伝送されるサブデータも記録媒体に記録・再生できれば便利である。
そこで、従来のオーディオ専用のＭＤのフォーマットを拡張することで、オーディオデータだけでなく、画像データやテキストデータを記録できるようにした拡張ＭＤフォーマットが提案されている。しかし、従来のＩＥＣ９５８フォーマットでは、上記メインデータに画像データやテキストデータ等のサブデータを付加して伝送することには対応していない。一方、前述したＩＥＥＥ１３９４フォーマットでは、オーディオデータ、画像データ、およびテキストデータを伝送することが可能である。したがって、ＭＤの記録装置として、ＩＥＣ９５８フォーマットの入力端子とＩＥＥＥ１３９４の端子とアナログ入力端子を備えた構成を考えた場合、ＩＥＥＥ１３９４ケーブルを介してオーディオデータをダウンロードした方がテキストや画像データを同時にダウンロードできるというメリットがある。
また、本出願人は、国際出願ＰＣＴ／ＪＰ９９／０１７５７号（１９９９年４月２日出願）において、上述のようなオーディオデータをＩＥＥＥ１３９４ケーブルを介してダウンロードする手法を提案をしている。この出願においては、楽曲データを受信する衛星放送受信機は、ＩＥＥＥ１３９４、光デジタルインターフェイス（ＩＥＣ９５８フォーマット）、アナログオーディオ出力の３つの出力端子を有しており、楽曲の著作権保護の観点から、これら３つの出力端子の内、１つの端子にだけオーディオ信号を出力するようにしている。
しかしながら、ＩＥＥＥ１３９４ケーブルによって、衛星放送受信機と記録装置が接続されている場合には、相互に通信が可能であるが、光デジタルインターフェイスやアナログオーディオは一方向性のインターフェイスなので、衛星放送受信機と記録装置は相互に通信することはできない。仮に衛星放送受信機が光デジタルインターフェイスにだけオーディオデータを出力し、記録装置は光デジタルインターフェイスを介して衛星放送受信機と接続され、アナログオーディオ入力端子を介してＣＤプレーヤーと接続されていたとする。この場合、オーディオデータのダウンロードを行う際には、記録装置では、光デジタルインターフェイスを選択しなければならないが、従来、ユーザーが選択操作を行わなければならなかった。ユーザーがこの操作を誤ると、ダウンロードは正常に行われない。しかしながら、衛星放送受信機側では、ダウンロードが失敗したことを知るすべがなく、通常どおり、ダウンロードに伴う課金処理が行われ、ユーザーにとって不利益を与えてしまう。
発明の開示
本発明は、上述の課題を解決できる電子機器、信号処理方法、入力信号切換方法およびダウンロードシステムであり、以下のようになっている。
本発明に係る電子機器は、データ及びコマンドを含むデジタル信号の双方向伝送が可能な第１の伝送フォーマットに準拠したケーブルが接続される第１の接続端子と、一方向信号伝送が可能な第２の伝送フォーマットに準拠したケーブルが接続される第２の接続端子と、上記第１の接続端子にケーブルを介して接続されている機器とデータ及びコマンドの通信を行う通信手段と、上記第１の接続端子と上記第２の接続端子を切り換えて、受信した信号に対して所定の処理を行う処理手段とを備え、上記通信手段による上記データの通信に先立つ確認コマンドの通信の結果、上記第１の接続端子にデータ供給機器が接続されていることが確認された場合には、上記処理手段は、上記第１の接続端子を上記第２の接続端子よりも優先して切り換えるようにし、上記第２の接続端子に近接して設けられ、上記第２の接続端子に接続されたケーブルの信号を検知する信号検知手段を有し、上記通信手段による通信の結果、上記第１の接続端子に上記データ供給機器が接続されていないことが確認された場合に、上記信号検知手段の検出結果に基づいて、上記処理手段は上記第２の接続端子を選択するようにした。
また、本発明に係る信号処理方法は、 データ及びコマンドを含むデジタル信号の双方向伝送が可能な第１の伝送フォーマットに準拠したケーブルが接続される第１の接続端子と、一方向信号伝送が可能な第２の伝送フォーマットに準拠したケーブルが接続される第２の接続端子とを備えた電子機器の信号処理方法において、上記第１の接続端子にケーブルを介して接続された機器とデータ及びコマンドの通信を行い、上記データの通信に先立つ確認コマンドの通信の結果、上記第１の接続端子にデータ供給機器が接続されていることが確認された場合には、上記第２の接続端子よりも上記第１の接続端子を優先して切り換え、上記切り換えられた第１の接続端子を介して受信した信号の処理を行うようにし、上記通信手段による通信の結果、上記第１の接続端子に上記データ供給機器が接続されていないことが確認された場合に、上記第２の接続端子に近接して設けられて上記第２の接続端子に接続されたケーブルの信号を検知する信号検知手段の検出結果に基づいて、上記処理手段は上記第２の接続端子を選択するようにした。
また、本発明に係る入力信号切換方法は、データ及びコマンドを含むデジタル信号の双方向伝送が可能な第１の伝送フォーマットに準拠したケーブルが接続される第１の接続端子がケーブルを介してデータ供給機器に接続されているか否かをデータの通信に先立つ確認コマンドの通信により判別し、上記第１の接続端子がデータ供給機器に接続されていると判断された場合には、一方向伝送が可能な第２の伝送フォーマットに準拠したケーブルが接続される第２の接続端子よりも優先して上記双方向伝送可能な第１の接続端子に切り換えるようにし、上記コマンドの通信の結果、上記第１の接続端子に上記データ供給機器が接続されていないことが確認された場合に、上記第２の接続端子に接続されたケーブルの信号の検出結果に基づいて、上記第２の接続端子を選択するようにした。
また、本発明に係るダウンロードシステムは、情報センターから配信されてくるデータを受信する受信部と、上記受信部にて受信したデータに所定の信号処理を施してメインデータと該メインデータに付随するサブデータに分離する分離部と、上記分離部にて分離されたメインデータを送信する第１の送信部と、上記メインデータおよびサブデータを送信すると共にコマンドを双方向通信する第２の送信部とを有する受信装置と、上記第１の送信部と一方向伝送が可能な第１の伝送フォーマットに準拠したケーブルを介して接続される第１の接続端子と、上記第２の送信部と双方向のデジタル信号伝送が可能な第２の伝送フォーマットに準拠したケーブルを介して接続される第２の接続端子と、上記第２の接続端子に上記受信装置が接続されているか否かを判別する判別手段と、上記第１の接続端子から供給される上記メインデータ及びサブデータもしくは第２の接続端子から供給される上記メインデータを記録する記録手段とを有する記録装置とを備えたダウンロードシステムにおいて、上記判別手段にて上記第２の接続端子に上記受信装置が接続されていると上記データの通信に先立つ確認コマンドの通信により判別された場合には、上記第１の接続端子よりも、上記第２の接続端子を優先して選択し、上記双方向伝送が可能なケーブルを介して伝送されるデータを記録するようにし、上記通信の結果、上記第２の接続端子に上記受信装置が接続されていないことが確認された場合に、上記第１の接続端子に接続されたケーブルの信号を検知する信号検知手段の検出結果に基づいて、上記第１の接続端子を選択するようにした。
上述の本発明に係る電子機器、電子機器の信号処理方法および入力信号切換方法によれば、通信手段による通信の結果、第１の接続端子に所望の機器が接続されていることが確認された場合には、処理手段は、第２の接続端子よりも第１の接続端子を優先して切り換えるようにしたので、所望の機器から伝送された信号を確実に受信することができる。
また、本発明に係るダウンロードシステムによれば、判別手段にて双方向伝送が可能なケーブルを介して受信装置が接続されていると判別された場合には、第２の接続端子に接続されている双方向伝送が可能なケーブルを優先して選択するようにしたので、受信装置から伝送されたデータを確実に受信することができる。またメインデータだけでなく、サブデータも記録することができる。
発明の実施するための最良の形態
本発明が適用されたシステムは、デジタル衛星放送を使用して音楽番組を放送すると共に、この音楽番組と関連するオーディオデータを配信することにより、視聴者が音楽番組を試聴できるようにし、さらに、試聴して気に入った楽曲があった場合に、その場でその楽曲を簡単に購入できるようにしたものである。
図１は、本発明が適用された音楽コンテンツ配信システムの全体構成を示すものである。この図に示すように、デジタル衛星放送の地上局１には、テレビ番組素材サーバ６からのテレビ番組放送の素材と、楽曲素材サーバ７からの楽曲データの素材と、音声付加情報サーバ８からの音声付加情報と、ＧＵＩ（ＧｒａｐｈｉｃａｌＵｓｅｒ  Ｉｎｔｅｒｆａｃｅ：グラフィカルユーザインタフェース）データサーバ９からのＧＵＩデータとが送られる。
テレビ番組素材サーバ６は、通常の音楽放送番組の素材を提供するサーバである。このテレビ番組素材サーバ６から送られてくる音楽放送の素材は動画および音声であり、通常の音楽放送番組では、例えば、新曲紹介のプロモーション用の動画と音声が放送されたり、最新のヒット曲のカウントダウンが放送されたりする。
楽曲素材サーバ７は、オーディオチャンネルを使用して、オーディオ番組を提供するサーバである。このオーディオ番組の素材は音声のみである。この楽曲素材サーバ７は、複数のオーディオチャンネルのオーディオ番組の素材を地上局１へ送る。各オーディオチャンネルの番組放送では、それぞれ、同一の楽曲が所定の単位時間繰り返して放送される。各オーディオチャンネルは、それぞれ、独立しており、その利用方法は各種のものが考えられる。例えば、１つのオーディオチャンネルでは、最新の日本のポップスの推薦曲を所定時間繰り返して放送し、他のオーディオチャンネルでは、最新のアメリカンポップスの推薦曲を所定時間繰り返して放送し、さらに他のオーディオチャンネルでは、ジャズの推薦曲を所定時間繰り返して放送しても良い。また、同じアーティストの複数の楽曲をそれぞれのオーディオチャンネルに分けて繰り返して放送しても良い。
音声付加情報サーバ８は、楽曲素材サーバ７から出力される楽曲の歌詞やジャケット情報を提供するものである。
ＧＵＩデータサーバ９は、配信される楽曲のリストページや各楽曲の情報ページの画面を形成するためのデータを提供するものである。詳細は後で説明するように、本発明が適用されたシステムでは、画面上のＧＵＩの操作により、配信される楽曲の歌詞やアーティストのコンサート情報等を画面に表示させることができる。また、画面上のＧＵＩの操作により、楽曲の選択、ダウンロードおよびその予約等を行うことができる。ＧＵＩデータサーバ９からは、そのためのデータが送られる。なお、このＧＵＩデータは例えばＭＨＥＧ（Ｍｕｌｔｉｍｅｄｉａ  ａｎｄ  Ｈｙｐｅｒｍｅｄｉａ  Ｉｎｆｏｒｍａｔｉｏｎ  Ｃｏｄｉｎｇ  Ｅｘｐｅｒｔｓ  Ｇｒｏｕｐ）方式により符号化されている。
地上局１は前述した、テレビ番組素材サーバ６からの音楽番組放送の素材となるビデオデータおよびオーディオデータと、楽曲素材サーバ７からのオーディオチャンネルの素材となるオーディオデータと、音声付加情報サーバ８からの音声付加情報と、ＧＵＩデータサーバ９からのＧＵＩデータとを多重化して送信する。このとき、テレビ番組放送のビデオデータは例えばＭＰＥＧ（Ｍｏｖｉｎｇ  Ｐｉｃｔｕｒｅ  Ｅｘｐｅｒｔｓ  Ｇｒｏｕｐ）２方式により圧縮され、テレビ番組放送のオーディオデータはＭＰＥＧオーディオ方式により圧縮される。各オーディオチャンネルのオーディオデータは二つの異なる方式、例えばＭＰＥＧオーディオ方式とＡＴＲＡＣ（Ａｄａｐｔｉｖｅ  Ｔｒａｎｓｆｏｒｍ  Ａｃｏｕｓｔｉｃ  Ｃｏｄｉｎｇ）方式により圧縮される。また、これらのデータは多重化の際、キー情報サーバ１０からの暗号鍵を用いて暗号化される。
地上局１からの信号は、衛星２を介して各家庭の受信設備３で受信される。衛星２には複数のトランスポンダが搭載されている。１つのトランスポンダは例えば３０Ｍｂｐｓの伝送能力を有している。各家庭の受信設備３としてはパラボラアンテナ１１と、ＩＲＤ（Ｉｎｔｅｇｒａｔｅｄ  Ｒｅｃｅｉｖｅｒ  Ｄｅｃｏｄｅｒ）１２と、ストレージデバイス１３と、テレビジョン受像機１４とが用意される。
衛星２を介して送られてきた信号はパラボラアンテナ１１で受信される。この受信信号がパラボラアンテナ１１に取り付けられたＬＮＢ（Ｌｏｗ  Ｎｏｉｓｅ  Ｂｌｏｃｋ  Ｄｏｗｎｃｏｎｖｅｒｔｅｒ）１５で所定の周波数に変換され、ＩＲＤ１２に供給される。
ＩＲＤ１２は受信信号から所定のチャンネルの信号を選択し、ビデオデータおよびオーディオデータの復調を行う。また、ＩＲＤ１２は、配信される楽曲のリストページや、各楽曲の情報ページや、ＥＰＧ用の画面を形成する。そして、ＩＲＤ１２の出力はテレビジョン受像機１４に供給される。
ストレージデバイス１３はダウンロードされたオーディオデータを保存するためのものである。例えば、ストレージデバイス１３としては、ＭＤレコーダ／プレーヤ、ＤＡＴレコーダ／プレーヤ、ＤＶＤレコーダ／プレーヤ等を用いることができる。また、ストレージデバイス１３としてパーソナルコンピュータを用い、そのハードディスクやＣＤ−Ｒにオーディオデータを保存することも可能である。
ＩＲＤ１２は、例えば電話回線４を介して課金サーバ５と結ばれている。ＩＲＤ１２には、各種情報が記憶されるＩＣカードが挿入される。楽曲のオーディオデータのダウンロードが行われると、その情報がＩＣカードに記憶される。このＩＣカードの情報は電話回線４を介して課金サーバ５に送られる。課金サーバ５は、このダウンロード情報から適切な課金を行い、視聴者に請求する。このように、適切な課金を行うことにより、ダウンロードされる楽曲の著作権を保護することができる。
このように、本発明が適用されたシステムでは、地上局１は、テレビ番組素材サーバ６からの音楽番組放送の素材となるビデオデータおよびオーディオデータと、楽曲素材サーバ７からのオーディオチャンネルの素材となるオーディオデータと、音声付加情報サーパ８からの音声付加情報データと、ＧＵＩデータサーバ９からのＧＵＩデータとを多重化して送信している。そして、各家庭の受信設備３でこの放送を受信すると、音楽番組が見られる他、送られてきたＧＵＩデータに基づいてＧＵＩ画面が表示される。このＧＵＩ画面を見ながら必要な操作を行うと、各楽曲についての情報ページを見ることができ、また、各楽曲についての試聴を行うことができる。さらに、ＧＵＩ画面を見ながら必要な操作を行うことで、所望の楽曲のオーディオデータをダウンロードして、ストレージデバイス１３に記憶することができる。
次に、受信設備３における視聴者の操作について、さらに詳細に説明する。各家庭の受信設備３でこの放送を受信すると、テレビジョン受像機１４に図２に示すような画面が表示される。画面の左上部のテレビ番組表示エリア２１Ａには、テレビ番組素材サーバ６から提供された音楽番組に基づく動画像が表示される。画面の右上部には、オーディオチャンネルで放送されている各チャンネルの楽曲のリスト２１Ｂが表示される。また、画面の左下にはテキスト表示エリア２１Ｃとジャケット表示エリア２１Ｄが設定される。さらに、画面の右側には歌詞表示ボタン２２、プロフィール表示ボタン２３、情報表示ボタン２４、予約録音ボタン２５、予約済一覧表示ボタン２６、録音履歴表示ボタン２７、およびダウンロードボタン２８が表示される。
視聴者は、このリスト２１Ｂに表示されている楽曲名を見ながら、興味のある楽曲を探していく。そして、興味のある楽曲を見つけたら、ＩＲＤ１２に付属するリモートコマンダの矢印キーを操作してその楽曲にカーソルを合わせた後、リモートコマンダのエンターキーを押す。これによって、カーソルを合わせた楽曲を試聴することができる。すなわち、各オーディオチャンネルでは、所定の単位時間中、同一の楽曲が繰り返し放送されているので、テレビ番組表示エリア２１Ａの画面はそのままで、その楽曲のオーディオチャンネルに切り換えられ、その楽曲を聞くことができる。この時、ジャケット表示エリア２１Ｄにはその楽曲のＭＤジャケットの静止画像が表示される。
この状態で歌詞表示ボタン２２にカーソルを合わせ、エンターキーを押す（以下、ボタンにカーソルを合わせ、エンターキーを押す操作をボタンを押すという）と、テキスト表示エリア２１Ｃに楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このように、視聴者は、現在どのような楽曲が配信されているのかを知ることができ、各楽曲についての詳細な情報を知ることができる。
視聴者は試聴した楽曲を購入したい場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。楽曲がダウンロードされる毎にその情報がＩＲＤ１２内のＩＣカードに記憶される。ＩＣカードに記憶された情報は、例えば１カ月に一度ずつ課金サーバ５に吸い上げられる。これによって、ダウンロードされる楽曲の著作権を保護することができる。
また、視聴者はあらかじめダウンロードの予約を行いたい場合には、予約録音ボタン２５を押す。このボタンを押すと、ＧＵＩ画面が切り換わり、予約が可能な楽曲のリストが画面全体に表示される。このリストは１時間単位、１週間単位、ジャンル単位等で検索した楽曲を表示することが可能である。視聴者はこのリストの中からダウンロードの予約を行いたい楽曲を選択すると、その情報がＩＲＤ１２内に登録される。そして、すでにダウンロードの予約を行った楽曲を確認したい場合には、予約済一覧表示ボタン２６を押すことにより、画面全体に表示させることができる。このようにして予約された楽曲は、予約時刻になるとＩＲＤ１２によりダウンロードされ、ストレージデバイス１３に記憶される。
視聴者はダウンロードを行った楽曲について確認したい場合には、録音履歴ボタン２７を押すことにより、既にダウンロードを行った楽曲のリストを画面全体に表示させることができる。
このように、本発明が適用されたシステムの受信設備３では、テレビジョン受像機１４のＧＵＩ画面上に楽曲のリストが表示される。そして、このＧＵＩ画面上の表示にしたがって楽曲を選択するとその楽曲を試聴することができ、その楽曲の歌詞やアーティストのプロフィール等を知ることができる。さらに、楽曲のダウンロードとその予約、ダウンロードの履歴や予約済楽曲リストの表示等を行うことができる。
以上、説明したように、本発明が適用された音楽コンテンツ配信システムでは、音楽放送番組が配信されると共に、複数のオーディオチャンネルを使用して楽曲のオーディオデータが配信される。そして、配信されている楽曲のリスト等を使用して所望の楽曲を探し、そのオーディオデータをストレージデバイス１３に簡単に保存することができる。以下、このようなシステムについて、さらに詳述する。
図３は本発明が適用された音楽コンテンツ配信システムにおける地上局１の構成を示すものである。
図３において、図１のＴＶ番組素材サーバ６からの素材データは、テレビ番組素材登録システム３１を介して、ＡＶサーバ３５に登録される。この素材データはビデオデータとオーディオデータである。ＡＶサーバ３５に登録されたデータは、テレビ番組送出システム３９に送られ、ここでビデオデータは例えばＭＰＥＧ２方式で圧縮され、オーディオデータは例えばＭＰＥＧオーディオ方式により圧縮されパケット化される。テレビ番組送出システム３９の出力はマルチプレクサ４４に送られる。
また、楽曲素材サーバー７からのオーディオデータは、楽曲素材登録システム３２を介してＭＰＥＧ２オーディオエンコーダ３６ＡおよびＡＴＲＡＣエンコーダ３６Ｂに供給され、各々の圧縮方式によってエンコードされた後、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出システム４３Ａに送られ、ここでパケット化された後、マルチプレクサ４４に送られる。ＡＴＲＡＣオーディオサーバ４０Ｂに登録されたＡＴＲＡＣデータは、ＡＴＲＡＣオーディオ送出システム４３Ｂに４倍速ＡＴＲＡＣデータとして送られ、ここでパケット化された後、マルチプレクサ４４に送られる。
さらに、音声付加情報サーバ８からの音声付加情報は、音声付加情報登録システム３３を介して音声付加情報データベース３７に登録される。音声付加情報データベース３７に登録された音声付加情報は、音声付加情報送出システム４１に送られ、ここでパケット化された後、マルチプレクサ４４に送られる。
また、ＧＵＩデータサーバ９からのＧＵＩ素材データは、ＧＵＩ用素材登録システム３４を介してＧＵＩ素材データベース３８に登録される。ＧＵＩ素材データベース３８に登録されたＧＵＩ素材データは、ＧＵＩオーサリングシステム４２に送られ、ここでＧＵＩ用の画面のデータが処理され、パケット化された後、マルチプレクサ４４に送られる。ここで、ＧＵＩ素材データにはジャケットの静止画情報、アーティストのコンサート情報等が含まれるが、静止画情報は例えば６４０×４８０ピクセルの画像データがＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮され、コンサート情報は例えば８００文字以内のテキストデータとされ、それぞれパケット化される。
マルチプレクサ４４においては、テレビ番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）からのキー情報を用いて暗号化される。
マルチプレクサ４４の出力は電波送出システム４５に送られ、ここで誤り訂正符号の付加、変調、および周波数変換等の処理を施された後、アンテナから衛星２に向けて送信される。
図４は地上局１から送信されるデータの一例を示すものである。なお、この図に示す各データは実際には時間軸多重化されている。図４に示すように、時刻ｔ１から時刻ｔ２の間が１つのイベントとされ、時刻ｔ２から次のイベントとされる。イベントとは楽曲のラインナップを変える単位であって、３０分または１時間を単位とするのが普通である。例えば、最新ヒット曲のトップ２０の２０位から１１位を先のイベントで放送し、１０位から１位を後のイベントで放送すること等が考えられる。
図４に示すように、時刻ｔ１から時刻ｔ２のイベントでは、通常の動画の番組放送で、所定の内容Ａ１を有する音楽番組が放送されている。また、時刻ｔ２から始まるイベントでは、所定の内容Ａ２を有する音楽番組が放送されている。この通常の音楽番組で放送されているのは、動画と音声である。
オーディオチャンネルは、例えば、チャンネルＣＨ１からＣＨ１０の１０チャンネル分用意される。このとき、各オーディオチャンネルＣＨ１、ＣＨ２，ＣＨ３，・・・，ＣＨ１０では、１つのイベントの間、同一の楽曲が繰り返して送信される。すなわち、時刻ｔ１から時刻ｔ２のイベントでは、オーディオチャンネルＣＨ１では、楽曲Ｂ１が繰り返して送信され、オーディオチャンネルＣＨ２では楽曲Ｃ１が繰り返して送信され、以下、同様にオーディオチャンネルＣＨ１０では楽曲Ｋ１が繰り返して送信される。時刻ｔ２から始まるイベントでは、オーディオチャンネルＣＨ１では、楽曲Ｂ２が繰り返して送信され、オーディオチャンネルＣＨ２では楽曲Ｃ２が繰り返して送信され、以下、同様にオーディオチャンネルＣＨ１０では楽曲Ｋ２が繰り返して送信される。これは、ＭＰＥＧオーディオチャンネルおよび４倍速ＡＴＲＡＣオーディオチャンネルに共通である。
つまり、図４において、ＭＰＥＧオーディオチャンネルと４倍速ＡＴＲＡＣオーディオチャンネルのチャンネル番号である（  ）内の数字が同じものは同じ楽曲に関するものである。また、音声付加情報のチャンネル番号である（  ）内の数字は、同じチャンネル番号を有するオーディオデータに付加されている音声付加情報である。さらに、ＧＵＩデータとして伝送される静止画データやテキストデータも各チャンネル毎に形成される。これらのデータは、図５Ａ〜図５Ｄに示すようにＭＰＥＧ２のトランスポートパケット内で時分割多重化されて送信され、図５Ｅ〜図５Ｈに示すようにＩＲＤ１２内では各データパケットのヘッダ情報を用いて再構築される。
次に、各家庭の受信設備３について説明する。
図１に示したように、各家庭の受信設備としてはパラボラアンテナ１１と、ＩＲＤ１２と、ストレージデバイス１３と、テレビジョン受像機１４とが用意される。ここでは、ストレージデバイスとしてＩＥＥＥ１３９４対応のＭＤレコーダ／プレーヤ（以下、ＩＥＥＥ１３９４ＭＤという）を用意し、これとＩＲＤ１２とがＩＥＥＥ１３９４バスで接続された場合について説明する。そして、このＩＥＥＥ１３９４ＭＤは、ＩＲＤ１２で選択した楽曲のオーディオデータと共に、そのジャケットデータおよび歌詞データを含むテキストデータを蓄積することができる。
図６はＩＲＤ１２の構成の一例を示すものである。このＩＲＤ１２は外部端子あるいはインタフェースとして、入力端子Ｔ１、アナログビデオ出力端子Ｔ２、アナログオーディオ出力端子Ｔ３，Ｔ４、光デジタル出力インタフェース５９、ＩＥＥＥ１３９４インタフェース６０、マンマシンインタフェース６１、ＩＣカードスロット６２、モデム６３および赤外線発光部６４を備えている。
入力端子Ｔ１はＬＮＢ１５で所定の周波数に変換された受信信号が入力される端子である。アナログビデオ出力端子Ｔ２はアナログビデオ信号をテレビジョン受像機１４に供給する端子である。アナログオーディオ出力端子Ｔ３はアナログオーディオ信号をテレビジョン受像機１４に供給する端子であり、アナログオーディオ出力端子Ｔ４はアナログオーディオ信号をストレージデバイス１３のアナログ入力に供給する端子である。光デジタル出力インタフェース５９はＩＥＣ９５８に準拠したものであって、ＰＣＭオーディオデータを光ファイバケーブル（図示せず）に送出する。ＩＥＥＥ１３９４インタフェース６０は、ビデオデータ、オーディオデータおよび各種コマンド等をＩＥＥＥ１３９４バスへ送出する。
マンマシンインタフェース６１はユーザによるリモートコマンダ（以下、リモコンという）６４からの入力を制御用ＣＰＵ５８に送る。ＩＣカードスロット６２にはＩＣカード６５が挿入される。モデム６３は電話回線４を介して課金サーバ５と接続される。制御用ＣＰＵ５８は外部機器（例えばＩＥＥＥ１３９４ＭＤ  １３Ａ）の制御を行うために、外部機器を制御する赤外線リモコン信号を発生し、赤外線発光部６６を介して、外部機器に送信することができる。
チューナー５１は制御用ＣＰＵ５８からの設定信号に基づいて、端子Ｔ１から供給される受信信号の中から所定受信周波数の信号を選択し、さらに復調と誤り訂正処理を施してＭＰＥＧトランスポートストリームを出力する。デスクランブラ５２は、チューナー５１からＭＰＥＧトランスポートストリームを受け、ＩＣカード６５に記憶されているデスクランブル用の鍵データをＩＣカードスロット６２と制御用ＣＰＵ５８を介して受け取り、この鍵データを用いてデスクランブルを行う。トランスポートＩＣ５３は、ユーザがリモコン６４から入力した指令をマンマシンインタフェース６１と制御用ＣＰＵ５８とを介して受け取り、トランスポートストリームの中から所望のテレビ番組のＭＰＥＧビデオデータとＭＰＥＧオーディオデータを抽出する。ＭＰＥＧビデオデコーダ５５は、トランスポートＩＣ５３から供給されるＭＰＥＧビデオデータをデータ圧縮前のビデオデータに変換する。ＭＰＥＧオーディオデコーダ５４は、トランスポートＩＣ５３から供給されるＭＰＥＧオーディオデータをデータ圧縮前のオーディオデータ（ＰＣＭオーディオデータ）に変換する。ＤＡコンバータ５６は、ＭＰＥＧオーディオデコーダ５４から供給されるオーディオデータをアナログオーディオ信号に変換する。スイッチＳＷ１はＤＡコンバータ５６から供給されるアナログオーディオ信号をアナログオーディオ出力端子Ｔ３，Ｔ４に選択的に供給する。
制御用ＣＰＵ５８はＩＲＤ１２全体の処理を行う。また、制御用ＣＰＵ５８に対して、ユーザがリモコン６４を用いて入力した指令をマンマシンインタフェース６１を介して受け取る。さらに、制御用ＣＰＵ５８にはモデム６３が接続されている。課金に必要な情報はＩＣカード６５に記憶される。このＩＣカード６５の情報はモデム６３を用いて電話回線４を介して、課金サーバ５（図１）に送られる。また、制御用ＣＰＵ５８はトランスポートストリームの中から、図４に示した音声付加情報とＧＵＩデータをトランスポートＩＣを介して取り込む。そして、これらのデータに基づいて、リストページの画面や各楽曲の情報ページの画面、あるいはＥＰＧ用の画面データを形成する。このようにして形成された画面データはＭＰＥＧビデオデコーダ５５内のバッファメモリの所定のエリアに書き込まれる。これにより、図２に示したように、画面上の指定のエリアに、放送されてくる楽曲のリストページや各楽曲の情報ページの画面、あるいはＥＰＧ用の画面を表示させることができる。
次に、図６に示したＩＲＤ１２の動作を説明する。
図６に示したＩＲＤ１２において、これまで説明した音楽コンテンツ配信システムのチャンネルをユーザが選択すると、テレビジョン受像機１４の画面上に図２に示したようなＧＵＩ画面が表示される。
この時、端子Ｔ１に入力された受信信号は、チューナー５１に供給される。チューナー５１では、制御用ＣＰＵ５８からの設定信号に基づいて受信信号の中から所定受信周波数の信号が選択され、さらに復調と誤り訂正処理が施されてＭＰＥＧトランスポートストリームが出力される。
チューナー５１の出力はデスクランブラ５２に供給される。デスクランブラ５２では、ＩＣカード６５に記憶されているデスクランブル用の鍵データがＩＣカードスロット６２と制御用ＣＰＵ５８を介して入力され、この鍵データを用いてＭＰＥＧトランスポートストリームのデスクランブルが行われる。デスクランブルされたＭＰＥＧトランスポートストリームはトランスポートＩＣ５３に送られる。
トランスポートＩＣ５３では、ユーザがリモコン６４から入力した指令がマンマシンインタフェース６１と制御用ＣＰＵ５８とを介して入力される。そして、その指令にしたがって、トランスポートストリームの中から所望のテレビ番組のＭＰＥＧビデオデータとＭＰＥＧオーディオデータが抽出され、それぞれＭＰＥＧビデオデコーダ５５とＭＰＥＧオーディオデコーダ５４に送られる。
ＭＰＥＧビデオデコーダ５５に送られたＭＰＥＧビデオデータはここでデータ圧縮前のビデオデータに変換され、次にＮＴＳＣ変換ブロック５７でコンポジットビデオ信号に変換された後、アナログビデオ出力端子Ｔ２からテレビジョン受像機へ出力される。ＭＰＥＧオーディオデコーダ５４に送られたＭＰＥＧオーディオデータはここでデータ圧縮前のオーディオデータに変換され、次にＤＡコンバータ５６でアナログオーディオ信号に変換された後、アナログオーディオ出力端子Ｔ３からテレビジョン受像機へ出力される。
図２に示したＧＵＩ画面上の楽曲のリスト２１Ｂにより楽曲が選択され、その楽曲のオーディオデータを試聴する場合には、トランスポートＩＣ５３からＭＰＥＧオーディオデータが抽出され、ＭＰＥＧオーディオデコーダ５４でデコードされ、ＤＡコンバータ５６でデジタル／アナログ変換された後、スイッチＳＷ１を通ってアナログオーディオ出力端子Ｔ３からテレビジョン受像機１４（図１）へ出力される。
また、図２に示したＧＵＩ画面上でダウンロードボタン２８が押され、オーディオデータをダウンロードする際には、トランスポートＩＣ５３からオーディオデータが抽出され、アナログオーディオ出力端子Ｔ４、光デジタル出力インタフェース５９、またはＩＥＥＥ１３９４インタフェース６０からオーディオデータが出力される。
すなわち、ＩＥＥＥ１３９４インタフェース６０にＩＥＥＥ１３９４ＭＤが接続されている場合には、トランスポートＩＣ５３において４倍速ＡＴＲＡＣデータが抽出され、ＩＥＥＥ１３９４インタフェース６０を介して、ＩＥＥＥ１３９４ＭＤに送出される。また、この時、トランスポートＩＣ５３においてＪＰＥＧ方式で圧縮されているジャケットデータが抽出され、ＩＥＥＥ１３９４インタフェース６０を介してＩＥＥＥ１３９４ＭＤに送出される。さらに、この時、トランスポートＩＣ５３において歌詞やアーティストのプロフィール等のテキストデータが抽出され、ＩＥＥＥ１３９４インタフェース６０を介して、ＩＥＥＥ１３９４ＭＤに送出される。
以下、ＩＥＥＥ１３９４の伝送フォーマットに関して説明する。
ＩＥＥＥ１３９４が有するデータ転送モードにはアイソクロナス（Ｉｓｏｃｈｒｏｎｏｕｓ）転送モードとアシンクロナス（Ａｓｙｎｃｈｒｏｎｏｕｓ）転送モードの２つのモードがある。アイソクロナス転送モードにおいては、１２５μｓｅｃ毎に一定量のパケットの送受信を保証しており、ビデオデータやオーディオデータなどの転送に適している。アシンクロナス転送モードはアイソクロナス転送モードに比較して優先順位が下がり、ファイル転送に適している。アシンクロナス転送は非同期転送であり、アイソクロナス転送は同期転送である。前述したとおり、ＩＥＥＥ１３９４では、データ転送単位は１２５μｓｅｃである。このデータ転送単位内には、ヘッダとしてのサイクルマスターデータと、アイソクロナスデータ部と、アシンクロナスデータと部から構成されている。アシンクロナス伝送は一対一の伝送で通信する相手は決まっているが、アイソクロナス伝送はデータの送り先を決定しない一対多の伝送を行うことも可能である。
光デジタル出力インタフェース５９にストレージデバイス１３が接続されている場合には、トランスポートＩＣ５３においてＭＰＥＧオーディオデータが抽出され、そのＭＰＥＧオーディオデータがストレージデバイスに送出される。
図７に上記ＩＥＣ９５８フォーマットでの伝送形態を示す。図７Ａは、光伝送ケーブルで実際に伝送される信号を示しており、サンプリング周波数でサンプリングされた１サンプルを１フレームとして、この１フレームを基本単位とする。上記１フレームは左チャンネルのデータと右チャンネルのデータが対となって１フレームとして伝送される。各チャンネルに対応するデータをサブフレームと称し、図７Ｂにそのデータ構造を示す。
サブフレームは３２ビットのデータで構成され、先頭４ビットはプリアンブルとされ、同期およびサブフレームの識別に用いられる。続く４ビットは予備ビット（ＡＵＸ）として使用され、続く２０ビットにメインデータであるデジタルオーディオデータＤＡが伝送される。続く４ビットは制御信号として用いられており、Ｖ，Ｕ，Ｃ，Ｐとして各１ビットづつ配される。
Ｖビットは有効フラグであり、この有効フラグが″０″であるとき、対応するサブフレームのデータは有効とされ、この有効フラグが″１″であるとき、対応するサブフレームのデータは無効とされる。データの受信側である記録装置はこのＶビットを用いて伝送されるデータの有効性について判別する。
Ｕビットはユーザデータと呼ばれ、上記サブデータに含まれるＵビットを平均１１７６ビット集め（換言すると１１７６サブフレームに含まれるＵビットを抽出し）、サブコードを生成する。上記生成されたサブコードはＣＤ上のＴＯＣ（Ｔａｂｌｅ  ｏｆ  Ｃｏｎｔｅｎｔｓ）領域に記録されているサブコードと同じ形態を採用している。
Ｃビットはチャンネルステータスデータであり、各サブフレームに含まれるＣビットを抽出し、１フレームのチャンネルステータスデータを生成する。このチャンネルステータスデータにより、データの送信側の機器（データ再生装置）の家庭用／業務用の識別子、著作権保護のための識別子、エンファシスの有無、ダビングの回数を示す世代情報、データの送信側の機器カテゴリーコード（送信側の機器の種別を示す識別子）、チャンネルデータ、サンプリング周波数情報等が管理されている。
また、Ｐビットはパリティービットとされ、本方式の場合には偶数パリティーが適用されており、上記サブフレームのデータに対応するエラー検出に用いられる。
アナログオーディオ出力端子Ｔ４にストレージデバイスが接続されている場合には、トランスポートＩＣ５３においてＭＰＥＧオーディオデータが抽出され、ＭＰＥＧオーディオデコーダ５４でデコードされ、さらにＤＡコンバータ５６でデジタル／アナログ変換された後、スイッチＳＷ１を通ってアナログオーディオ出力端子Ｔ４から、ストレージデバイス１３に送出される。
尚、ＩＲＤ１２はオーディオ信号の出力端子として、ＩＥＥＥ１３９４インターフェイス６０、光デジタル出力インタフェース５９、アナログオーディオ出力端子Ｔ４の３つが設けられているが、楽曲の著作権保護の観点から、これら３つの出力端子の内、１つの端子にだけオーディオ信号を出力するようにされている。この手法の詳しい説明については本出願人が出願した国際出願ＰＣＴ／ＪＰ９９／０１７５７号（１９９９年４月２日出願）に記載されているので、ここでの説明は省略する。
図８はＩＥＥＥ１３９４ＭＤの構成の一例を示すブロック図である。このＩＥＥＥ１３９４ＭＤ１３ＡはＩＥＥＥ１３９４インタフェース７１と、光デジタル入力インタフェース７２と、アナログオーディオ入力端子Ｔ１２と、アナログオーディオ出力端子Ｔ１３とを備えている。
ＩＥＥＥ１３９４インタフェース７１は記録再生部７５と直接的に接続されている。光デジタル入力インタフェース７２はＡＴＲＡＣエンコーダ７４を介して記録再生部７５と接続されている。アナログオーディオ入力端子Ｔ１２はＡＤコンバータ７３を介してＡＴＲＡＣエンコーダ７４に接続されている。そして、アナログオーディオ出力端子Ｔ１３はＤＡコンバータ７８とＡＴＲＡＣデコーダ７７を介して記録再生部７５と接続されている。記録再生部７５にはディスク７６がセットされ、このディスク７６に対して記録再生を行う。制御用ＣＰＵ７９はこのＩＥＥＥ１３９４ＭＤ１３Ａの全体の制御等を行う。制御用ＣＰＵ７９には、ＩＲＤ１２の赤外線発光部６６からの赤外線信号やリモコン（図示せず）からの赤外線信号を受光する赤外線受光部８０が設けられている。
次に、このＩＥＥＥ１３９４ＭＤ１３Ａの記録時の動作を説明する。
ＩＥＥＥ１３９４インタフェース７１と図６に示したＩＲＤ１２のＩＥＥＥ１３９４インタフェース６０とがＩＥＥＥ１３９４に準拠したケーブル（以下、ＩＥＥＥ１３９４ケーブルという）で接続されている場合には、ＩＥＥＥ１３９４インタフェース６０から送出された楽曲のオーディオデータ、歌詞等のテキストデータ、およびジャケット等の静止画データは、ＩＥＥＥ１３９４インタフェース７１から入力され、そのまま記録再生部７５によってディスク７６に記録される。後で説明するように、この時、ディスク７６上には拡張ＭＤフォーマットにより、各データが記録される。
光デジタル入力インタフェース７２と図６に示したＩＲＤ１２の光デジタル出力インタフェース５９とが光ケーブルで接続されている場合には、光デジタル入力インタフェース７２から入力されたＰＣＭオーディオデータはＡＴＲＡＣエンコーダ７４でエンコードされた後、記録再生部７５によってディスク７６に記録される。
アナログオーディオ入力端子Ｔ１２と図６に示したアナログオーディオ端子Ｔ４とがアナログケーブルで接続されている場合には、アナログオーディオ入力端子Ｔ１２から入力されたアナログオーディオ信号はＡＤコンバータ７３でアナログ／デジタル変換され、ＡＴＲＡＣエンコーダ７４でエンコードされた後、記録再生部７５によってディスク７６に記録される。
つまり、このＩＥＥＥ１３９４ＭＤ１３Ａでは、ＩＲＤ１２との間がＩＥＥＥ１３９４インタフェースで接続されている場合のみ、楽曲のオーディオデータと共にその歌詞データやジャケットの静止画データが記録され、光デジタルインタフェースでの接続またはアナログオーディオ接続の場合には、オーディオデータのみが記録される。
再生時には、ＩＥＥＥ１３９４インタフェース７１またはアナログオーディオ出力端子Ｔ１３から再生信号を出力することができる。そして、ＩＥＥＥ１３９４インタフェース７１から出力するときに、ディスク７６に楽曲のオーディオデータと共にその歌詞データやジャケットデータが記録されている場合には、楽曲データをＩＥＥＥ１３９４対応のオーディオ機器（アンプ等）に出力することが可能であると共に、歌詞データやジャケットデータをＩＥＥＥ１３９４対応のディスプレイで表示したり、ＩＥＥＥ１３９４対応のプリンタで印刷したりすることが可能である。
このように、本発明を適用したＩＥＥＥ１３９４ＭＤでは、楽曲のオーディオデータと共にその歌詞データやジャケットデータの記録再生が可能である。この記録再生は図９に示す拡張ＭＤフォーマットを用いることで可能になる。この図に示すように、楽曲のオーディオデータはＡＴＲＡＣ方式でメインデータエリアに記録される。これは現行のＭＤフォーマットと同じである。そして、拡張ＭＤフォーマットでは、さらに２．８Ｍバイトの補助データ（Ａｕｘｉｌｉａｒｙ  Ｄａｔａ）エリアに前述したジャケットデータや歌詞データ等を記録する。このフォーマットを使用することにより、楽曲のオーディオデータと共にジャケットデータや歌詞データを記録再生することができる。また、現行のＭＤフォーマットとの互換性を維持することができる。
ところで、図１０Ａに示すように、ＩＲＤ１２とＩＥＥＥ１３９４ＭＤ１３Ａが光ケーブルとＩＥＥＥ１３９４ケーブルで同時に接続される場合が考えられる。また図１０Ｂに示すように、ＩＲＤ１２とＩＥＥＥ１３９４ＭＤ１３ＡがＩＥＥＥ１３９４ケーブルとアナログケーブルで同時に接続される場合が考えられる。さらに図１０Ｃに示すように、ＩＲＤ１２とＩＥＥＥ１３９４ＭＤ１３Ａが光ケーブルとアナログケーブルで同時に接続される場合が考えられる。さらに図１０Ｄに示すように、ＩＲＤ１２とＩＥＥＥ１３９４ＭＤ１３ＡがＩＥＥＥ１３９４ケーブルで接続されると共に、ＩＥＥＥ１３９４ＭＤ１３Ａと他の機器、例えばＣＤプレーヤが光ケーブルで接続される場合が考えられる。さらに、図１０Ｅに示すように、ＩＲＤ１２とＩＥＥＥ１３９４ＭＤ１３ＡがＩＥＥＥ１３９４ケーブルで接続されると共に、ＩＥＥＥ１３９４ＭＤ１３Ａと他の機器、例えばＣＤプレーヤがアナログケーブルで接続される場合が考えられる。その他、図１０Ｆ〜図１０Ｉに示すようにさまざまな接続方法が考えられる。しかしながら、ＩＥＥＥ１３９４ＭＤ１３Ａは、これらのいずれの場合であっても自動的に接続状態を判別して、ＩＲＤ１２で受信された楽曲のダウンロードを確実に行えるようにする必要がある。以下、ＩＥＥＥ１３９４ＭＤ１３Ａの自動的に接続状態を判別する動作について説明する。
ＩＥＥＥ１３９４フォーマットでは接続された機器間でビデオデータやオーディオデータの伝送を開始する前にコマンド等の双方向通信を行い、互いの接続状態や接続機器の種類を確認しあうことが可能である。つまり、ＩＥＥＥ１３９４ＭＤ１３ＡはＩＥＥＥ１３９４ケーブルで接続されたＩＲＤ１２に対してＩｎｑｕｉｒｙコマンドを送信し、ＩＲＤ１２からのＡＣＫ（Ａｃｋｎｏｗｌｅｄｇｅ）信号を受信することにより、ＩＲＤ１２との接続状態を確認することができる。また、ＩＲＤ１２がＩＥＥＥ１３９４ケーブルで接続され、楽曲のダウンロードを開始する際には、ダウンロード開始コマンドがＩＲＤ１２から伝送されてくるので、このようなコマンドによって接続状態を認識することも可能である。さらにＩＲＤ１２から発行されたＩｎｑｕｉｒｙコマンドを受信した場合にも、ＩＲＤ１２がＩＥＥＥ１３９４ケーブルを介して接続されていることを確認することができる。
またＩＥＥＥ１３９４ＭＤ１３Ａの制御用ＣＰＵ７９は、光デジタル入力インタフェース７２において光信号を検知できるか否かを監視することによって、光デジタル入力インタフェース７２に光ケーブルが接続され、かつオーディオデータが送信されてきているかを判別することができる。光ケーブルを使って楽曲のダウンロードを行う場合には、ダウンロード開始コマンド等の制御信号は、ＩＲＤ１２の赤外線発光部６６から伝送され、ＩＥＥＥ１３９４ＭＤ１３Ａの赤外線受光部８０で受信される。
さらに制御用ＣＰＵ７９は、ＩＥＥＥ１３９４ケーブルと光ケーブルが接続されていない、若しくは信号が供給されてこないと判断した場合には、アナログケーブルによって楽曲のダウンロードを実行するものと判断する。
ＩＥＥＥ１３９４ＭＤ１３Ａの制御用ＣＰＵ７９はこのようにして、ＩＲＤ１２との接続状態を認識することができる。
制御用ＣＰＵ７９はこのようにして検出された接続状態に応じてＡＴＲＡＣエンコーダ７４とＩＥＥＥ１３９４インタフェース７１の出力信号を切替えてディスク７６への記録動作を制御する。
図１１に本発明の実施の形態によるＩＥＥＥ１３９４ＭＤ１３Ａの制御用ＣＰＵ７９の処理の手順を示すフローチャートを示す。
まず、ステップＳ１にて、図８のＩＥＥＥ１３９４インタフェース７１において、既にＩＲＤ１２からＩｎｑｕｉｒｙコマンドを受信したか否かが判断される。もしＩＲＤ１２からＩｎｑｕｉｒｙコマンドを受信しているのであれば（ステップＳ１でＹｅｓ）、ＩＥＥＥ１３９４ケーブルを介して楽曲のダウンロードを行うものと判断される。そこでステップＳ５に移行し、ＩＥＥＥ１３９４ケーブルを介してダウンロード開始コマンドを受信したか否かが判断される。ステップＳ５でダウンロードコマンドを受信したと判断された場合には、ステップＳ６に移行し、ＩＥＥＥ１３９４ケーブルを介して送信されてくる楽曲データのダウンロードを行う。
一方、ステップＳ１においてＩＲＤ１２からＩｎｑｕｉｒｙコマンドを受信していない場合には、ステップＳ２において制御用ＣＰＵ７９はＩｎｑｕｉｒｙコマンドを発行し、ＩＥＥＥ１３９４ケーブルに対して出力する。そしてステップＳ３でＩＥＥＥ１３９４ケーブルに繋がっている機器からＡＣＫ信号が返信されてくるか否かを判断する。ＡＣＫ信号が返信されてきた場合には（ステップＳ３でＹｅｓ）、ステップＳ４において、そのＡＣＫ信号がＩＲＤ１２からのものであるかが判断される。受信したＡＣＫ信号がＩＲＤ１２からのものである場合には（ステップＳ４でＹｅｓ）、ＩＥＥＥ１３９４ケーブルを介して楽曲のダウンロードを行うものと判断され、ステップＳ５に移行する。その後の処理は上述の通りである。
ステップＳ３においてＡＣＫ信号が受信されない場合には（ステップＳ３でＮｏ）、ＩＥＥＥ１３９４ケーブルが繋がっていないと判断され、またステップＳ４において受信したＡＣＫ信号がＩＲＤ１２からのものでないと判断された場合には（ステップＳ４でＮｏ）、ＩＥＥＥ１３９４ケーブルでＩＲＤ１２が接続されていないと判断されて、ステップＳ７に移行する。ステップＳ７において、赤外線受光部８０を介してダウンロード開始コマンドを受信したか否かが判断される。ステップＳ７でダウンロード開始コマンドを受信したと判断されると（ステップＳ７でＹｅｓ）、ステップＳ８で光信号が検知できているか否かを判断する。光信号が検知できていると判断された場合には、ステップＳ９に移行し、光ケーブルを介して楽曲のダウンロードを実行するものと判断される。一方、ステップＳ８で光信号が検知できないと判断された場合には、アナログケーブルを介して楽曲のダウンロードを実行するものと判断される。
以上のような制御用ＣＰＵ７９の処理によって、ＩＲＤ１２で受信された楽曲のダウンロードを確実に行うことができる。
つまり、図１０Ａおよび図１０Ｂの場合には、ＩＲＤ１２とＩＥＥＥ１３９４ＭＤ１３ＡがＩＥＥＥ１３９４ケーブルによって接続されているので、ステップＳ１またはステップＳ４でＹｅｓとなり、光ケーブルやアナログケーブルよりも優先して、ＩＥＥＥ１３９４ケーブルを介した楽曲のダウンロードが行われる。
図１０Ｃの場合には、ステップＳ８により、光ケーブルを通じてＩＲＤ１２からオーディオデータが送られてきた場合には光ケーブルを選択し、光ケーブルを通じてＩＲＤ１２からオーディオデータが送られてこない場合にはアナログケーブルを選択するので、楽曲のダウンロードを確実に行うことができる。
図１０Ｄおよび図１０Ｅの場合には、ＩＲＤ１２とＩＥＥＥ１３９４ＭＤ１３ＡがＩＥＥＥ１３９４ケーブルによって接続されているので、ステップＳ１またはステップＳ４でＹｅｓとなり、光ケーブルやアナログケーブルよりも優先して、ＩＥＥＥ１３９４ケーブルを介した楽曲のダウンロードが行われる。
図１０Ｆおよび図１０Ｇの場合には、ステップＳ８でＹｅｓとなり、光ケーブルを介した楽曲のダウンロードが行われる。
図１０Ｈおよび図１０Ｉの場合には、ステップＳ８でＮｏとなり、アナログケーブルを介した楽曲のダウンロードが行われる。
また、上記実施の形態ではＡＴＲＡＣ方式での圧縮方法が適用された例を説明したがＭＰＥＧ方式のオーディオレイヤーを用いても良い。さらに、上記実施の形態では衛星から伝送されるデータを受信して記録するシステムに関して説明したが、本発明はアナログ電話回線やＩＳＤＮ（Ｉｎｔｅｇｒａｔｅｄ  Ｓｅｒｖｉｃｅ  Ｄｉｇｉｔａｌ  Ｎｅｔｗｏｒｋ）等の公衆回線を用いて伝送されるデータを受信して記録するシステム、ＣＡＴＶ（Ｃａｂｌｅ  Ｔｅｌｅｖｉｓｉｏｎ）のようなケーブルで伝送されるデータを受信して記録するシステム等にも適用できる。
産業上の利用可能性
本発明によれば、一方向伝送が可能なケーブルおよび双方向伝送が可能なケーブルの両方が接続されていると判別された場合は、双方向伝送が可能なケーブルから伝送されるデータを優先的に受信または記録することができる。したがって、一方向伝送が可能なケーブルと双方向伝送が可能なケーブルの両方が接続されていたとしても、両方のケーブルのデータを混在させずに受信することができる。
また、本発明に係るダウンロードシステムによれば、さらにメインデータのみならず画像データやテキストデータ等のサブデータを記録することができる。
【図面の簡単な説明】
図１は、本発明が適用されたシステムの全体構成を示すブロック図である。
図２は、図１に示したシステムにおけるテレビジョン受像機に表示される画面の一例を示す図である。
図３は、図１に示したシステムにおける送信側の構成の一例を示すブロック図である。
図４は、図１に示したシステムにおいて送信されるデータの一例の構造を示す図である。
図５は、図１に示したシステムにおいて送信されるデータが多重化および再構築される様子を示す図である。
図６は、図１におけるＩＲＤの構成の一例を示すブロック図である。
図７は、ＩＥＣ９５８フォーマットでの伝送形態を示す図である。
図８は、本発明の実施の形態によるＩＥＥＥ１３９４ＭＤの構成を示すブロック図である。
図９は、本発明の実施の形態によるＩＥＥＥ１３９４ＭＤの記録フォーマットを示す図である。
図１０は、本発明の実施の形態によるＩＲＤとＩＥＥＥ１３９４ＭＤとの接続形態を示す図である。
図１１は、本発明の実施の形態によるＩＥＥＥ１３９４ＭＤの制御用ＣＰＵの処理の手順を示すフローチャートである。
【図１】
0004244521.tif 000002
【図２】
0004244521.tif 000003
【図３】
0004244521.tif 000004
【図４】
0004244521.tif 000005
【図５Ａ】
0004244521.tif 000006
【図５Ｂ】
0004244521.tif 000007
【図５Ｃ】
0004244521.tif 000008
【図５Ｄ】
0004244521.tif 000009
【図５Ｅ】
0004244521.tif 000010
【図５Ｆ】
0004244521.tif 000011
【図５Ｇ】
0004244521.tif 000012
【図５Ｈ】
0004244521.tif 000013
【図６】
0004244521.tif 000014
【図７Ａ】
0004244521.tif 000015
【図７Ｂ】
0004244521.tif 000016
【図８】
0004244521.tif 000017
【図９】
0004244521.tif 000018
【図１０Ａ】
0004244521.tif 000019
【図１０Ｂ】
0004244521.tif 000020
【図１０Ｃ】
0004244521.tif 000021
【図１０Ｄ】
0004244521.tif 000022
【図１０Ｅ】
0004244521.tif 000023
【図１０Ｆ】
0004244521.tif 000024
【図１０Ｇ】
0004244521.tif 000025
【図１０Ｈ】
0004244521.tif 000026
【図１０Ｉ】
0004244521.tif 000027
【図１１】
0004244521.tif 000028